(57)【要約】【課題】従来例のように、１枚のシートで形成し、洗いやすく、簡単に組み立てられ、携帯用に折り畳むことができ、これらに加え、組立てを解除したとき従来よりも平面的になりケーキ等の内容物を取り出しやすくし、製造コストも従来より低減することが可能な包装用容器の提供を課題とする。【解決手段】少なくとも底面部１と側面部２，３，４，５とを備え内容物を囲う包装用容器である。側面部２と、その両隣の各側面部３，４との間に、それぞれ係止部を備える。当該係止部は、隣り合う一方の側面部に設けた溝穴と他方の側面部の延設部に設けたフックとで構成する。当該隣り合う溝穴とフックとの係合により側面部が起立し、当該係合の解除により側面部が寝るようになっている。【選択図】図１
0003219776.tif 000002
【実用新案登録請求の範囲】
【請求項１】
少なくとも底面部（１）と側面部（２，３，４，５）とを備え内容物を囲う包装用容器であって、
前記側面部（２）と、その両隣の各側面部（３，４）との間に、それぞれ係止部を備え、当該係止部は、隣り合う一方の側面部に設けた溝穴と他方の側面部の延設部に設けたフックとで構成され、当該隣り合う溝穴とフックとの係合により前記側面部が起立し、当該係合の解除により前記側面部が寝る、包装用容器。
【請求項２】
前記側面部（２）から両隣の側面部（３，４）に向かう延設部に前記フックを設けると共に、前記側面部（３，４）に前記溝穴を設け、
更に、前記側面部（２）に対向する側面部（５）から両隣の側面部（３，４）に向かう各延設部（５１，５２）に溝穴を設け、
前記側面部（３，４）の溝穴と前記延設部（５１，５２）の溝穴とを重ねて前記フックを係合させることにより前記側面部（２，３，４，５）が起立し、当該係合の解除により側面部（２，３，４，５）が寝る、請求項１に記載の包装用容器。
【請求項３】
前記底面部及び側面部に加え蓋部を備え内容物を覆う、請求項１又は２に記載の包装用容器。
【考案の詳細な説明】
【技術分野】
【０００１】
本考案は、ケーキ等の食品の包装に好適な容器であって、展開シートを折り曲げて組立てるタイプの包装用容器に関する。
【背景技術】
【０００２】
この種の従来例として、本願考案者は、特許文献１を開示している。その図１や図４に開示した容器は、組立て前は、１枚のシート状であるから、輸送時や収納時は、シート状のまま重ねることができ、多数枚を薄く保持することができる。特に、図４の容器は、接着による段差や隙間がない平面構造のため、簡単に洗うこともできる。また、打ち抜くだけの１工程で製造できるため製造コストも抑えられる。また、利用者は、特許文献１の図１８や図１９のように、容器をコンパクトに折り畳んだ状態で携帯することもできる。
【０００３】
しかし、特許文献１の容器は、側面部材が折り代部材で連結されており、折り代部材の折り曲げの癖が側面部材を引っ張るため、組立てを解除して側面部材を開いても平らになりにくい。このため、ケーキ等の内容物の取出しに改善の余地がある。
また、側面部材が折り代部材により連結されていることから、組立て時に重なり合う部分が多く、その重複部分の材料を必要とし、この点で、材料の削減、製造コストの低減の余地がある。
【先行技術文献】
【特許文献】
【０００４】
【特許文献１】特開２０１４−９７８４４号公報
【考案の概要】
【考案が解決しようとする課題】
【０００５】
そこで、本考案は、従来例のように、１枚のシートで形成し、洗いやすく、簡単に組み立てられ、携帯用に折り畳むことができ、これらに加え、組立てを解除したとき従来よりも平面的になりケーキ等の内容物を取り出しやすくし、製造コストも従来より低減することが可能な包装用容器の提供を課題とする。
【課題を解決するための手段】
【０００６】
本考案は、少なくとも底面部１と側面部２，３，４，５とを備え内容物を囲う包装用容器である。側面部２と、その両隣の各側面部３，４との間に、それぞれ係止部を備える。当該係止部は、隣り合う一方の側面部に設けた溝穴と他方の側面部の延設部に設けたフックとで構成する。当該隣り合う溝穴とフックとの係合により側面部が起立し、当該係合の解除により側面部が寝るようになっている。本願において「溝穴」には「切り込み」を含む。
【０００７】
側面部２に対し、側面部３，４を係止部により係合するだけで、側面部２，３，４による囲いができ、解放されている側面部５の側から底面部１の上にケーキ等の内容物を挿入できる。側面部２に対し、側面部３又は４の片方を係合させるだけでも、同様に解放されている側面部の側から底面部１の上に内容物を挿入できる。また、側面部２において隣接する側面部の係合を解除するだけで、側面部が底面部と平行に近付き平らになる。このとき、隣接する側面部同士は、部材により直接連結されていないため、従来よりも平らになりやすい。
【考案の効果】
【０００８】
このため、本考案の容器は、従来と同様に１枚のシートで形成することができ、洗いやすく、簡単に組み立てられ、携帯用に折り畳むこともできる。これらに加え、組立てを解除したとき従来よりも平面的になりケーキ等の内容物を取り出しやすい。更に、側面部同士を直接連結する部材を省けるので、製造コストも従来より低減することが可能である。
【図面の簡単な説明】
【０００９】
【図１】図１は、本考案の第１実施形態である容器の展開図。
【図２】図２は、図１に示す展開シートの組立説明図。
【図３】図３は、図１に示す展開シートの組立説明図。
【図４】図４は、図１に示す展開シートの組立完成図。
【図５】図５は、図１に示す容器の使用状態図。
【図６】図６は、本考案の第２実施形態である容器の展開図。
【図７】図７は、本考案の第３実施形態である容器の展開図。
【図８】図８は、図７に示す展開シートの組立説明図。
【図９】図９は、図７に示す展開シートの組立説明図。
【図１０】図１０は、図７に示す展開シートの組立完成図。
【図１１】図１１は、図７に示す容器の使用状態図。
【図１２】図１２は、本考案の第４実施形態を示す展開図。
【考案を実施するための形態】
【００１０】
以下、本考案の実施形態を図面を参照して説明する。図１は、第１実施形態の容器の展開図である。方形の底面部１の四辺には、方形の側面部２，３，４，５が形成されている。各側面部２，３，４，５の底面部１とは反対側の辺には、キャリータイプの蓋を構成する部材６，７，８，９が形成されている。側面部２の両脇（隣接する各側面部３，４に近い側）には、容器の高さ方向に長い溝穴２ａ，２ｂがそれぞれ形成されている。側面部２に隣接する各側面部３，４の、当該側面部２の側には、フラップ１１，１２が形成されている。フラップ１１，１２には、切り込みによりフック１１ａ，１２ａが、それぞれ形成されている。溝穴２ａ，２ｂと、フック１１ａ，１２ａとの位置関係は、側面部２，３，４を底面部１に対して垂直に立ち上げ、フラップ１１，１２を側面部２に重ねるように折り曲げたときに、溝穴２ａ，２ｂと、フック１１ａ，１２ａとが、それぞれ係合できる位置に配置されている。側面部３，４には、外フラップとしての側面部５（側面部２に対向する側面部）に対して内フラップ１３，１４が形成されている。このように形成された包装用容器の展開シートは、打ち抜きにより１枚のシートで形成されている。シートの材質は、ポリプロピレン、紙、ストーンペーパー等から選択できる。図中、点線は谷折り、一点鎖線は山折りを示す。
【００１１】
次に、図１の展開シートの組み立て方を図２から図５を参照して説明する。図２から図５において、溝穴２ａとフック１１ａとで構成される係止部をＡと表記し、溝穴２ｂとフック１２ａとで構成される係止部をＢと表記する。図２は、組立て前の展開シートである。この状態から係止部Ａ若しくはＢ又はその両方を係合すると、底面部１の回りに２面又は３面の側面部による囲いが形成される。係止部Ａ，Ｂ両方を係合させた状態を図３に示す。この状態で、開放されている側面部５の側からケーキ等の内容物を容易に挿入することができる。内容物を挿入し、開放されていた側面部５を立ち上げ、容器の上部でキャリータイプの蓋を形成すると、図４に示す容器となる。逆に、図３の状態から係止部Ａ，Ｂの係合を解除すると、図５に示すように内容物の周囲全面が広がり、どの方向からも容易に内容物を取り出すことができる。
【００１２】
次に、第２実施形態を図６に示す。第１実施形態と同一の部分については、同一の符号を付して重複説明を省略する。第２実施形態では、容器の高さが第１実施形態よりも高くなるように側面部２，３，４，５の方形の高さを延長した。これに伴い、係止部の高さも調整した。第１実施形態では、係止部の高さを容器の中央あたりに配置したが、第２実施形態では、係止部の高さが容器の中央よりも上方に配置されるように、溝穴２ａ，２ｂ及びフック１１ａ，１２ａを配置した。このようにすると、容器全体の高さを延長しても係止部を上方に配置することで、組み立てた容器が安定しやすい。
【００１３】
次に、第３実施形態を図７に示す。第１実施形態と同一の部分については同一の符号を付して重複説明を省略する。本実施形態では、側面部２の隣接する側面部３，４の側にフラップ２１，２２を形成し、各フラップ２１，２２に切り込みによるフック２１ａ，２２ａを形成した。また、側面部３，４には側面部２の側のフラップを設けずに、各側面部３，４にそれぞれ容器の高さ方向に長い溝穴３ａ，４ａを形成した。溝穴３ａ，４ａと、フック２１ａ，２２ａとの位置関係は、側面部２，３，４を底面部１に対して垂直に立ち上げ、フラップ２１，２２をそれぞれ側面部３，４に重ねるように折り曲げたときに、溝穴３ａ，４ａと、フック２１ａ，２２ａとが、それぞれ係合できる位置に配置されている。側面部２には、溝穴を設けていない。その他の構成は第１実施形態と同一である。
【００１４】
図７の展開シートの組み立て方を図８から図１１を参照して説明する。図８から図１１において、溝穴３ａとフック２１ａとで構成される係止部をＡと表記し、溝穴４ａとフック２２ａとで構成される係止部をＢと表記する。図８は、組立て前の展開シートである。この状態から係止部Ａ若しくはＢ又はその両方を係合すると、底面部１の回りに２面又は３面の側面部による囲いが形成される。係止部Ａ，Ｂ両方を係合させた状態を図９に示す。この状態で、開放されている側面部５の側からケーキ等の内容物を容易に挿入することができる。内容物を挿入し、開放されていた側面部５を立ち上げ、容器の上部でキャリータイプの蓋を形成すると、図１０に示す容器となる。逆に、図９の状態から係止部Ａ，Ｂの係合を解除すると、図１１に示すように内容物の周囲全面が広がり、どの方向からも容易に内容物を取り出すことができる。
【００１５】
次に、第４実施形態を図１２に示す。第３実施形態と同一の部分については同一の符号を付して重複説明を省略する。本実施形態では、側面部５の隣接する側面部３，４の側にも、フラップ５１，５２を形成し、各フラップ５１，５２にそれぞれ容器の高さ方向に長い溝穴５１ａ，５２ａを形成した。溝穴３ａ，４ａ，５１ａ，５２ａと、フック２１ａ，２２ａとの位置関係は、側面部２，３，４，５を底面部１に対して垂直に立ち上げ、フラップ５１，５２をそれぞれ側面部３，４に重ねるように折り曲げたときに、溝穴３ａ，４ａと、溝穴５１ａ，５２ａとが、それぞれ重なる位置に配置されると共に、フラップ２１，２２をそれぞれ側面部３，４に重ねるように折り曲げたときに、溝穴３ａ，４ａ，５１ａ，５２ａと、フック２１ａ，２２ａとが、それぞれまとめて係合できる位置に配置されている。この場合、フック２１ａ，２２ａの係合を解除するだけで、内容物の周囲全面が広がり、どの方向からも容易に内容物を取り出すことができる。
【００１６】
以上の各実施形態によれば、従来と同様に１枚のシートで形成することができ、洗いやすく、簡単に組み立てられ、携帯用に折り畳むこともできる。これらに加え、組立てを解除したとき、隣接する側面を直接連結している部材がないため、従来よりも平面的になりやすくケーキ等の内容物を取り出しやすい。更に、側面部同士を直接連結する部材を省けるので、製造コストも従来より低減することが可能である。そして、耐久性のある素材で形成することにより、繰り返し使用することができ、ドギーバッグにも好適である。
【００１７】
ここで、本考案の範囲は、上記実施形態の範囲に限らず、実用新案登録請求の範囲に記載した考案の範囲である。例えば、蓋の部材は本考案の必須の要件ではない。
【符号の説明】
【００１８】
１  底面部
２，３，４，５  側面部
２ａ，２ｂ，３ａ，４ａ，５１ａ，５２ａ  溝穴
６，７，８，９  蓋構成部材
１１，１２，２１，２２，５１，５２  フラップ
１１ａ，１２ａ，２１ａ，２２ａ  フック
１３，１４  内フラップ
【図１】
0003219776.tif 000003
【図２】
0003219776.tif 000004
【図３】
0003219776.tif 000005
【図４】
0003219776.tif 000006
【図５】
0003219776.tif 000007
【図６】
0003219776.tif 000008
【図７】
0003219776.tif 000009
【図８】
0003219776.tif 000010
【図９】
0003219776.tif 000011
【図１０】
0003219776.tif 000012
【図１１】
0003219776.tif 000013
【図１２】
0003219776.tif 000014